(57)【要約】【課題】使用毎における近赤外光の照射位置のばらつきを小さくすることに貢献する光育毛器を提供する。【解決手段】光育毛器１は、光源部６０、制御部４０、および、報知部８０を有する。制御部４０は、基準情報取得処理、血管情報照合処理、および、報知処理を行う。基準情報取得処理は、受光者に対する近赤外光の照射位置が基準の照射位置を取るとき、受光者の血管の位置に関する血管情報である基準情報を受光信号に基づいて生成する。血管情報照合処理は、光育毛器１の使用のために光源部６０の照射位置が設定されたとき、受光信号に基づいて血管情報を生成し、血管情報および基準情報を照合する。報知処理は、血管情報照合処理における照合の結果に基づいて報知信号を報知部８０に出力する。報知部８０は、報知信号に基づいて報知情報を出力する。【選択図】図２
2015013044.tif 000002
【特許請求の範囲】
【請求項１】
近赤外光を照射する光育毛器であって、
前記光育毛器は、光源部、制御部、および、報知部を有し、
前記光源部は、前記制御部から受信した発光信号に基づいて前記近赤外光を出力する機能、および、受光した光に基づいて前記制御部に受光信号を出力する機能を有し、
前記制御部は、基準情報取得処理、血管情報照合処理、および、報知処理を行い、
前記基準情報取得処理は、受光者に対する前記近赤外光の照射位置が基準の照射位置を取るとき、前記受光者の血管の位置に関する血管情報である基準情報を前記受光信号に基づいて生成し、
前記血管情報照合処理は、前記光育毛器の使用のために前記光源部の照射位置が設定されたとき、前記受光信号に基づいて前記血管情報を生成し、前記血管情報および前記基準情報を照合し、
前記報知処理は、前記血管情報照合処理における照合の結果に基づいて報知信号を前記報知部に出力し、
前記報知部は、前記報知信号に基づいて報知情報を出力する
光育毛器。
【請求項２】
前記制御部は、前記基準情報取得処理または前記血管情報照合処理において生成した血管情報に体毛情報が含まれるとき、前記生成した血管情報から前記体毛情報に該当する部分を削除する、または、前記基準情報取得処理または前記血管情報照合処理をやり直す
請求項１に記載の光育毛器。
【請求項３】
前記光育毛器は、照射位置確認部を有し、
前記照射位置確認部は、前記受光者としての使用者、または、前記受光者とは異なる使用者の操作に基づいて確認操作信号を前記制御部に出力し、
前記制御部は、前記確認操作信号に基づいて前記血管情報照合処理を実行する
請求項１または２に記載の光育毛器。
【発明の詳細な説明】
【技術分野】
【０００１】
本発明は、光育毛器に関する。
【背景技術】
【０００２】
従来の光育毛器は、皮膚に対して近赤外光を照射する照射部、および、近赤外光が照射された皮膚の内部における血流量を測定する血流量測定手段を有する。血流量測定手段は、測定結果に基づいて、皮膚に近赤外光が照射されていることを検知する。なお、特許文献１は、従来の光育毛器の一例を開示している。
【先行技術文献】
【特許文献】
【０００３】
【特許文献１】特開２０１２−１１０６２号公報
【発明の概要】
【発明が解決しようとする課題】
【０００４】
従来の光育毛器は、近赤外光が皮膚に照射されているか否かを検知することができる。しかし、この光育毛器は、皮膚に対する近赤外光の照射位置を検知していない。このため、皮膚に対する近赤外光の照射位置が光育毛器の使用毎にばらつくおそれがある。
【０００５】
本発明は、以上の背景をもとに創作されたものであり、使用毎における近赤外光の照射位置のばらつきを小さくすることに貢献する光育毛器を提供することを目的としている。
【課題を解決するための手段】
【０００６】
本光育毛器は、光源部、制御部、および、報知部を有し、前記光源部は、前記制御部から受信した発光信号に基づいて前記近赤外光を出力する機能、および、受光した光に基づいて前記制御部に受光信号を出力する機能を有し、前記制御部は、基準情報取得処理、血管情報照合処理、および、報知処理を行い、前記基準情報取得処理は、受光者に対する前記近赤外光の照射位置が基準の照射位置を取るとき、前記受光者の血管の位置に関する血管情報である基準情報を前記受光信号に基づいて生成し、前記血管情報照合処理は、前記光育毛器の使用のために前記光源部の照射位置が設定されたとき、前記受光信号に基づいて前記血管情報を生成し、前記血管情報および前記基準情報を照合し、前記報知処理は、前記血管情報照合処理における照合の結果に基づいて報知信号を前記報知部に出力し、前記報知部は、前記報知信号に基づいて報知情報を出力する。
【０００７】
光育毛器の使用毎における近赤外光の照射位置のばらつきが大きくなるにつれて、近赤外光の照射による育毛効果が低下するおそれがある。このため、育毛効果を高める側面から、光育毛器の使用毎における近赤外光の照射位置にばらつきが生じにくいことが好ましい。一方、近赤外光は、視認できない。このため、使用者は、近赤外光の照射位置のばらつきを視認することができない。このため、光育毛器の使用毎における近赤外光の照射位置のばらつきを小さくするためには、今回の使用時における近赤外光の照射位置が適切か否かを使用者に報知することが好ましい。本光育毛器は、次のとおり動作することにより、近赤外光の照射位置の適切性を報知する。
【０００８】
制御部は、基準情報を記憶部に記憶させる。基準情報は、生体に対する近赤外光の照射位置の基準を示す。制御部は、今回の使用時における血管情報および基準情報の照合の結果に基づいて、報知部に報知情報を出力させる。このため、近赤外光の照射位置が適切でないことを使用者に認識させやすくなる。使用者は、近赤外光の照射位置が適切でないことを認識した場合、近赤外光の照射位置を変更することができる。このため、光育毛器の使用毎における近赤外光の照射位置のばらつきが生じにくくなる。
【０００９】
このように、本光育毛器は、今回の使用時における近赤外光の照射位置と、基準となる近赤外光の照射位置との相違を報知することにより、光育毛器の使用毎における近赤外光の照射位置のばらつきを小さくすることに貢献する。なお、受光者は、光育毛器から近赤外光を受ける者を示す。使用者は、光育毛器を操作する者を示す。受光者自身が光育毛器を操作する場合、受光者と使用者とは同一の者を示す。
【発明の効果】
【００１０】
本光育毛器は、使用毎における近赤外光の照射位置のばらつきを小さくすることに貢献する。
【図面の簡単な説明】
【００１１】
【図１】実施形態の光育毛器のブロック図。
【図２】実施形態の光育毛器の模式図。
【図３】実施形態の光源動作制御を示すフローチャート。
【図４】実施形態の光源動作制御を示すフローチャート。
【図５】（ａ）実施形態の光源部がパターンＡにより動作している状態を示す模式図。（ｂ）光源部がパターンＢにより動作している状態を示す模式図。（ｃ）光源部がパターンＣにより動作している状態を示す模式図。
【発明を実施するための形態】
【００１２】
（１）本光育毛器は、次の事項を有する。前記光育毛器は、光源部、制御部、および、報知部を有する。前記光源部は、前記制御部から受信した発光信号に基づいて前記近赤外光を出力する機能、および、受光した光に基づいて前記制御部に受光信号を出力する機能を有する。前記制御部は、基準情報取得処理、血管情報照合処理、および、報知処理を行う。前記基準情報取得処理は、受光者に対する前記近赤外光の照射位置が基準の照射位置を取るとき、前記受光者の血管の位置に関する血管情報である基準情報を前記受光信号に基づいて生成する。前記血管情報照合処理は、前記光育毛器の使用のために前記光源部の照射位置が設定されたとき、前記受光信号に基づいて前記血管情報を生成し、前記血管情報および前記基準情報を照合する。前記報知処理は、前記血管情報照合処理における照合の結果に基づいて報知信号を前記報知部に出力する。前記報知部は、前記報知信号に基づいて報知情報を出力する。
【００１３】
（２）前記光育毛器は、次の事項を有する。前記制御部は、前記基準情報取得処理または前記血管情報照合処理において生成した血管情報に体毛情報が含まれるとき、前記生成した血管情報から前記体毛情報に該当する部分を削除する、または、前記基準情報取得処理または前記血管情報照合処理をやり直す。
【００１４】
（３）前記光育毛器は、次の事項を有する。前記光育毛器は、照射位置確認部を有する。前記照射位置確認部は、前記受光者としての使用者、または、前記受光者とは異なる使用者の操作に基づいて確認操作信号を前記制御部に出力する。前記制御部は、前記確認操作信号に基づいて前記血管情報照合処理を実行する。
【００１５】
（実施形態）
図１は、光育毛器１の一形態のブロック図を示している。
光育毛器１は、ハウジング１０、保護板１１、電源部２０、操作部３０、制御部４０、記憶部５０、光源部６０、切替部７０、報知部８０、および、パルス発生部９０を有する。光育毛器１は、光源部６０に電流を流すことにより、近赤外光を受光者１００に照射することができる。
【００１６】
制御部４０は、ハウジング１０の内部に配置されている。制御部４０は、操作部３０から受信した信号に基づいて、各種の制御を実行する。制御部４０は、一例として、光源動作制御（図３および図４参照）を実行する。光源動作制御は、照射位置確認制御および光照射制御を含む。制御部４０は、電源操作部３１から出力された電源操作信号ＳＰに基づいて、照射位置確認制御を開始する。
【００１７】
照射位置確認制御は、光源部６０から受光者１００に照射される近赤外光の位置が、光育毛器１の使用毎にばらつくことを抑制することを意図して実行される。照射位置確認制御は、受光者１００の血管の配置に関する情報（以下、「血管情報」）を利用して、受光者１００に対する近赤外光の照射位置の適切性を確認する。照射位置確認制御は、基準の血管情報、および、今回の使用時における血管情報を照合することにより、近赤外光の照射位置が適切か否かを判定する。照射位置確認制御は、複数の処理により構成されている。複数の処理は、基準情報取得処理、血管情報照合処理、および、報知処理を含む。
【００１８】
基準情報取得処理は、受光者１００に対する近赤外光の照射位置が基準の照射位置に設定されているとき、光源部６０から照射された近赤外光の反射光に基づいて基準の血管情報（以下、「基準情報Ｉ」）を取得する。
【００１９】
血管情報照合処理は、光育毛器１の今回の使用時において、受光者１００に対する近赤外光の照射位置が任意の位置に設定されているとき、光源部６０から照射された近赤外光の反射光に基づいて、血管情報を取得する。血管情報照合処理は、今回の使用時における血管情報と、基準情報取得処理において取得した基準情報Ｉとを照合し、今回の使用時における近赤外光の照射位置と基準の照射位置との関係を確認する。
【００２０】
報知処理は、血管情報照合処理における照合の結果に基づいて報知部８０に報知情報を出力させることにより、今回の使用時における近赤外光の照射位置が適切か否かを使用者に認識させる。なお、使用者は、受光者１００としての使用者、または、受光者１００とは異なる者としての使用者を示す。
【００２１】
光照射制御は、受光者１００に近赤外光を照射することにより育毛効果を促進させることを意図して実行される。光照射制御は、一例として、照射位置確認制御の終了に基づいて開始される。光照射制御は、終了条件が成立したことに基づいて、近赤外光の照射を終了する。
【００２２】
電源部２０は、ハウジング１０の内部に配置されている。電源部２０は、一次電池の電力、二次電池の電力、または、商用電源の交流電力を直流電力に変換し、変換後の電力を制御部４０および記憶部５０に供給する。
【００２３】
光源部６０は、ハウジング１０の内部に配置されている。光源部６０は、保護板１１を介して近赤外光を受光者１００に照射する。光源部６０は、制御部４０および電源部２０のそれぞれと電気的に接続されている。図１の破線は、光源部６０が照射する近赤外光、および、光源部６０が照射した近赤外光の反射光を示している。
【００２４】
光源部６０は、一例として、複数の発光兼受光素子６１を有する。発光兼受光素子６１は、複数の機能状態を有する。発光兼受光素子６１の機能状態は、発光状態および受光状態を含む。発光兼受光素子６１は、発光状態のとき、発光素子として機能し、制御部４０から受信した発光信号ＳＥに基づいて発光する。発光信号ＳＥは、発光兼受光素子６１に近赤外光を出力させるための情報を含む。発光兼受光素子６１は、受光状態のとき、受光素子として機能し、受光した光に基づいて制御部４０に受光信号ＳＲを出力する。受光信号ＳＲは、発光兼受光素子６１が受光した反射光の光量の情報を含む。
【００２５】
保護板１１は、ハウジング１０に取り付けられている。保護板１１は、一例として、ガラスまたは透光性樹脂を主成分とする材料により形成されている。保護板１１は、光源部６０を保護する。保護板１１は、一例として、レンズの機能を有する。
【００２６】
操作部３０は、ハウジング１０上に形成されている。操作部３０は、制御部４０および電源部２０のそれぞれと電気的に接続されている。操作部３０は、一例として、スイッチの形態を有する。操作部３０は、電源操作部３１、基準情報設定部３２、および、照射位置確認部３３を有する。
【００２７】
電源操作部３１は、光育毛器１の電源のオンまたはオフの設定を切り替える。電源操作部３１は、使用者の操作に応じて電源操作信号ＳＰを制御部４０に出力する。電源操作信号ＳＰは、光育毛器１の電源のオンまたはオフを変化させるための情報を含む。
【００２８】
基準情報設定部３２は、制御部４０において、基準情報取得処理を実行するために操作される。基準情報設定部３２は、使用者の操作に応じて基準情報設定信号ＳＳを制御部４０に出力する。基準情報設定信号ＳＳは、基準情報取得処理を開始させるための情報を含む。
【００２９】
照射位置確認部３３は、制御部４０において、血管情報照合処理を実行するために操作される。照射位置確認部３３は、使用者の操作に応じて確認操作信号ＳＡを制御部４０に出力する。確認操作信号ＳＡは、血管情報照合処理を開始させるための情報を含む。
【００３０】
記憶部５０は、ハウジング１０の内部に配置されている。記憶部５０は、制御部４０および電源部２０のそれぞれと電気的に接続されている。記憶部５０は、制御部４０から出力された記憶基準情報信号ＳＳＭに含まれる基準情報Ｉを保存する。記憶基準情報信号ＳＳＭは、制御部４０が受光信号ＳＲに基づいて生成した基準情報Ｉを含む。記憶部５０は、制御部４０が出力する要求信号に基づいて、記憶基準情報信号ＳＳＭを制御部４０に出力する。記憶部５０は、制御部４０から記憶基準情報信号ＳＳＭを受信したとき、すでに保存している基準情報Ｉを破棄し、受信した記憶基準情報信号ＳＳＭに含まれる基準情報Ｉを保存する。
【００３１】
切替部７０は、ハウジング１０の内部に配置されている。切替部７０は、制御部４０および電源部２０のそれぞれと電気的に接続されている。切替部７０は、制御部４０が出力する切替信号ＳＣに基づいて、発光兼受光素子６１の機能状態を発光状態または受光状態に切り替える。
【００３２】
パルス発生部９０は、ハウジング１０の内部に配置されている。パルス発生部９０は、制御部４０および電源部２０のそれぞれと電気的に接続されている。パルス発生部９０は、発光信号ＳＥをパルス変調する。
【００３３】
報知部８０は、ハウジング１０に取り付けられている。報知部８０は、制御部４０および電源部２０のそれぞれと電気的に接続されている。報知部８０は、一例として、スピーカーの形態を有する。報知部８０は、制御部４０が出力する報知信号ＳＩに基づいて、報知情報を出力する。
【００３４】
図２は、光育毛器１の一形態の模式図を示している。
図２の白い発光兼受光素子６１は、発光状態の発光兼受光素子６１を示している。図２のドット入りの発光兼受光素子６１は、受光状態の発光兼受光素子６１を示している。なお、図５の白い発光兼受光素子６１、および、ドット入りの発光兼受光素子６１も同様の状態を示している。
【００３５】
保護板１１は、ハウジング１０の長手方向の一方の端部に固定されている。光源部６０は、ハウジング１０の内部において、ハウジング１０の一方の端部付近に配置されている。光源部６０は、複数の発光兼受光素子６１、および、１つの光源基盤６２を有する。
【００３６】
複数の発光兼受光素子６１は、光源基盤６２に実装されている。発光兼受光素子６１は、ＬＥＤランプの形態を有する。発光兼受光素子６１は、７６０〜２５００ｎｍの波長範囲において強度のピークを有する近赤外光を照射する。発光兼受光素子６１は、一例として、１４５０ｎｍの波長において、強度のピークを示す近赤外光を照射する。なお、図２および図５の発光兼受光素子６１は、複数の発光兼受光素子６１のうちの一部のみを示している。
【００３７】
複数の発光兼受光素子６１は、それぞれ異なる切替部７０を介して制御部４０および電源部２０と接続されている。図２の破線は、制御部４０が切替部７０に出力する切替信号ＳＣを示している。
【００３８】
切替部７０は、Ｃ接点スイッチのリレーを有する。このリレーは、入力端子７０Ａ、入力端子７０Ｂ、および、共通端子７０Ｃを有する。入力端子７０Ａは、電源部２０の＋極に接続されている。入力端子７０Ｂは、制御部４０に接続されている。共通端子７０Ｃは、発光兼受光素子６１のアノードに接続されている。共通端子７０Ｃは、制御部４０が出力する切替信号ＳＣの受信に基づいて、入力端子７０Ａまたは入力端子７０Ｂに接続される。
【００３９】
制御部４０が実行する制御の詳細を以下に示す。
制御部４０は、光源動作制御における所定の条件の成立に基づいて、切替信号ＳＣとしての発光切替信号ＳＣＥまたは受光切替信号ＳＣＲを切替部７０に出力する。切替部７０は、発光切替信号ＳＣＥを受信したことに基づいて、共通端子７０Ｃを入力端子７０Ａに接続する。発光切替信号ＳＣＥは、発光兼受光素子６１の機能状態を発光状態に変化させるための情報を含む。切替部７０は、受光切替信号ＳＣＲを受信したことに基づいて、共通端子７０Ｃを入力端子７０Ｂに接続する。受光切替信号ＳＣＲは、発光兼受光素子６１の機能状態を受光状態に変化させるための情報を含む。
【００４０】
制御部４０は、複数の発光兼受光素子６１の機能状態を制御することにより、光源部６０の発光パターンを変化させる。制御部４０は、一例として、パターンＡ（図５（ａ）参照）、パターンＢ（図５（ｂ）参照）、および、パターンＣ（図５（ｃ）参照）の中から発光パターンを選択する。
【００４１】
パターンＡは、縦の列毎に各発光兼受光素子６１の機能状態が異なる。パターンＡは、発光兼受光素子６１の機能状態が発光状態に設定された列、および、発光兼受光素子６１の機能状態が受光状態に設定された列を交互に有する。パターンＢは、発光状態に設定された発光兼受光素子６１の列、および、受光状態に設定された発光兼受光素子６１の列の位置関係がパターンＡとは反対に設定されている。パターンＣは、全ての発光兼受光素子６１の機能状態が発光状態に設定されている。
【００４２】
制御部４０は、電源操作信号ＳＰに基づいて、照射位置確認制御を開始する。制御部４０は、照射位置確認制御において、基準情報取得処理、血管情報照合処理、および、報知処理の順に各処理を実行する。
【００４３】
制御部４０は、基準情報取得処理において以下の各処理を実行する。
制御部４０は、パターンＡに対応する切替信号ＳＣを各切替部７０に出力する。制御部４０は、パターンＡにおいて発光状態に設定された各発光兼受光素子６１に発光信号ＳＥを出力する。制御部４０は、パターンＡにおいて受光状態に設定された各発光兼受光素子６１から受光信号ＳＲを受光する。制御部４０は、受光信号ＳＲに基づいて、パターンＡにおける血管情報を生成する。制御部４０は、パターンＡにおける血管情報の生成と同様の処理により、パターンＢにおける血管情報を生成する。制御部４０は、パターンＡにおける血管情報およびパターンＢにおける血管情報を合成し、合成血管情報を生成する。制御部４０は、基準情報設定信号ＳＳを受信していることに基づいて、合成血管情報を基準情報Ｉとして記憶部５０に記憶させる。
【００４４】
制御部４０は、血管情報照合処理において以下の各処理を実行する。
制御部４０は、基準情報取得処理における血管情報の生成と同様の処理により、光育毛器１の今回の使用時における合成血管情報を生成する。制御部４０は、今回の使用時における合成血管情報と基準情報Ｉとを照合する。制御部４０は、照合の結果に基づいて、照合条件が成立しているか否かを判定する。
【００４５】
照合条件は、今回の使用時における合成血管情報が基準情報Ｉと一致していること、または、今回の使用時における合成血管情報と基準情報Ｉとのずれが小さいことを判定するための条件として、予め設定されている。なお、合成血管情報と基準情報Ｉとのずれが小さい状態は、光照射制御における近赤外光の照射による育毛効果が低下するおそれが小さいと推定される状態を示す。
【００４６】
照合条件の成立は、光源部６０の照射位置が基準の照射位置と一致していること、または、光源部６０の照射位置と基準の照射位置とのずれが小さいことを示す。照合条件の不成立は、光源部６０の照射位置と基準の照射位置とのずれが大きいことを示す。なお、光源部６０の照射位置と基準の照射位置とのずれが小さい状態は、光照射制御における近赤外光の照射による育毛効果が低下するおそれが小さいと推定される状態を示す。
【００４７】
制御部４０は、報知処理において以下の各処理を実行する。
制御部４０は、照合条件に関する判定の結果に基づいて、報知部８０に報知信号ＳＩを出力する。制御部４０は、照合条件が成立しているとき、報知信号ＳＩとしての位置決定報知信号ＳＩＤを報知部８０に出力する。位置決定報知信号ＳＩＤは、光源部６０の照射位置が基準の照射位置と一致している、または、光源部６０の照射位置と基準の照射位置とのずれが小さいことを示す報知情報を報知部８０に出力させるための情報を含む。制御部４０は、照合条件が成立していないとき、報知信号ＳＩとしての位置移動報知信号ＳＩＭを出力する。位置移動報知信号ＳＩＭは、光源部６０の照射位置と基準の照射位置とのずれが大きいことを示す報知情報を報知部８０に出力させるための情報を含む。
【００４８】
図３および図４は、光源動作制御のフローチャートを示している。
光源動作制御のフローチャートにおいて、ステップＳ１１〜ステップＳ２１は、照射位置確認制御を構成する処理の一例を示す。ステップＳ１１〜ステップＳ１７は、基準情報取得処理を構成する処理の一例を示す。ステップＳ１１〜ステップＳ１５、ステップＳ１８、および、ステップＳ１９は、血管情報照合処理を構成する処理の一例を示す。ステップＳ２０およびステップＳ２１は、報知処理を構成する処理の一例を示す。ステップＳ２２およびステップＳ２３は、光照射制御を構成する処理の一例を示す。
【００４９】
制御部４０は、ステップＳ１１において、パターンＡ（図５（ａ）参照）に対応する切替信号ＳＣを切替部７０に出力する。制御部４０は、パターンＡにおいて発光状態に設定された各発光兼受光素子６１に発光信号ＳＥを出力する。
【００５０】
制御部４０は、ステップＳ１２において、パターンＡにおいて受光状態に設定された各発光兼受光素子６１から受光信号ＳＲを受光する。制御部４０は、受光信号ＳＲに基づいて、パターンＡにおける血管情報を生成する。
【００５１】
制御部４０は、ステップＳ１３において、パターンＢ（図５（ｂ）参照）に対応する切替信号ＳＣを切替部７０に出力する。制御部４０は、パターンＢにおいて発光状態に設定された各発光兼受光素子６１に発光信号ＳＥを出力する。
【００５２】
制御部４０は、ステップＳ１４において、パターンＢにおいて受光状態に設定された各発光兼受光素子６１から受光信号ＳＲを受光する。制御部４０は、受光信号ＳＲに基づいて、パターンＢにおける血管情報を生成する。
【００５３】
制御部４０は、ステップＳ１５において、ステップＳ１２により生成したパターンＡに対応する血管情報、および、ステップＳ１４により生成したパターンＢに対応する血管情報を合成し、合成血管情報を生成する。
【００５４】
制御部４０は、ステップＳ１６において、基準情報設定部３２から出力された基準情報設定信号ＳＳを受信しているか否かを判定する。制御部４０は、基準情報設定信号ＳＳを受信しているとき、ステップＳ１７に移行する。制御部４０は、基準情報設定信号ＳＳを受信していないとき、ステップＳ１８に移行する。
【００５５】
制御部４０は、ステップＳ１７において、ステップＳ１５により生成した合成血管情報を含む記憶基準情報信号ＳＳＭを記憶部５０に出力する。記憶部５０は、受信した合成血管情報を基準情報Ｉとして保存する。
【００５６】
制御部４０は、ステップＳ１８において、基準情報Ｉを含む記憶基準情報信号ＳＳＭを記憶部５０から読み込む。制御部４０は、ステップＳ１９において、ステップＳ１５により生成した合成血管情報と基準情報Ｉとを照合する。制御部４０は、照合の結果に基づいて、照合条件が成立しているか否かを判定する。制御部４０は、照合条件が成立していると判定したとき、ステップＳ２１に移行する。制御部４０は、照合条件が成立していないと判定したとき、ステップＳ２０に移行する。
【００５７】
制御部４０は、ステップＳ２０において、位置移動報知信号ＳＩＭを報知部８０に出力する。制御部４０は、ステップＳ１９において、照合条件が成立していることを判定するまで、ステップＳ１１〜ステップＳ２０を繰り返して実行する。
【００５８】
制御部４０は、ステップＳ２１において、位置決定報知信号ＳＩＤを報知部８０に出力する。制御部４０は、ステップＳ２２において、パターンＣ（図５（ｃ）参照）に対応する切替信号ＳＣを切替部７０に出力する。制御部４０は、パターンＣにおいて発光状態に設定された各発光兼受光素子６１に発光信号ＳＥを出力する。
【００５９】
制御部４０は、ステップＳ２３において、終了条件が成立しているか否かを判定する。制御部４０は、終了条件が成立していると判定したとき、光育毛器１の電源をオフにする。制御部４０は、終了条件が成立していないと判定したとき、ステップＳ２４に移行する。制御部４０は、ステップＳ２３において、終了条件が成立したと判定するまで、ステップＳ２３およびステップＳ２４の判定処理を繰り返す。
【００６０】
制御部４０は、一例として、第１終了条件または第２終了条件が成立していることに基づいて、終了条件が成立していると判定する。第１終了条件は、光源部６０による近赤外光の照射時間が予め設定された規定時間を経過したことにより成立する。第２終了条件は、電源操作部３１から出力された電源操作信号ＳＰを制御部４０が受信したことにより成立する。
【００６１】
制御部４０は、ステップＳ２４において、照射位置確認部３３から出力された確認操作信号ＳＡを受信しているか否かを判定する。制御部４０は、確認操作信号ＳＡを受信していると判定したとき、ステップＳ２５に移行する。制御部４０は、確認操作信号ＳＡを受信していないと判定したとき、ステップＳ２３に移行する。
【００６２】
制御部４０は、ステップＳ２５において、血管情報照合処理および報知処理を実行する。制御部４０は、血管情報照合処理として、ステップＳ１１〜Ｓ１５、ステップＳ１８、および、ステップＳ１９を実行する。制御部４０は、ステップＳ１５の次にステップＳ１８およびステップＳ１９を実行する。制御部４０は、報知処理として、ステップＳ２０およびステップＳ２１を実行する。制御部４０は、ステップＳ２５において、血管情報照合処理を開始した後、報知処理としてのステップＳ２１を実行するまで、ステップＳ２５を継続する。制御部４０は、報知処理としてのステップＳ２１を実行した後、ステップＳ２２に移行する。
【００６３】
光育毛器１は、以下の作用を有する。
光育毛器１は、受光者１００による使用が開始されることにより、一例として、次の状態を形成する。受光者１００としての使用者は、光源部６０の照射位置を頭部の任意の位置に合わせる。ここで想定される使用状況においては、光源部６０の照射位置が基準の照射位置からずれた位置に設定される。
【００６４】
使用者は、電源操作部３１を操作する。制御部４０は、電源操作部３１の操作に基づいて光源動作制御における照射位置確認制御を開始する。光源部６０は、照射位置確認制御の開始にともない、パターンＡによる近赤外光の照射、および、パターンＢによる近赤外光の照射を順に行う。制御部４０は、受光した反射光に基づいて、光育毛器１の今回の使用時における血管情報を生成する。制御部４０は、光育毛器１の過去の使用時において生成した基準情報Ｉと、今回の使用時における血管情報とを照合する。
【００６５】
光源部６０の照射位置が基準の照射位置とずれている場合、基準情報Ｉおよび今回の血管情報の関係は、照合条件を満たさない。このため、制御部４０は、照合条件が成立していないと判定する。制御部４０は、照合の結果に基づいて、報知部８０に位置移動報知信号ＳＩＭを出力する。報知部８０は、位置移動報知信号ＳＩＭに基づいて、光源部６０の照射位置が基準の照射位置からずれていることを示す報知情報を出力する。
【００６６】
使用者は、報知情報に基づいて、光源部６０の照射位置が基準の照射位置からずれていること認識した場合、光源部６０の照射位置を変更する。光源部６０の照射位置の変更により光源部６０の照射位置が基準の照射位置と一致した場合、または、光源部６０の照射位置と基準の照射位置とのずれが微小な大きさを取る場合、今回の使用時の血管情報および基準情報Ｉの関係が照合条件を満たす。制御部４０は、照合条件が成立していると判定したとき、報知部８０に位置決定報知信号ＳＩＤを出力する。報知部８０は、位置決定報知信号ＳＩＤに基づいて、光源部６０の照射位置が基準の照射位置と一致していること、または、光源部６０の照射位置および基準の照射位置のずれが小さいことを示す報知情報を出力する。
【００６７】
制御部４０は、照合条件が成立していることに基づいて、光源動作制御における光照射制御を開始する。光源部６０は、光照射制御の開始にともない、パターンＣにより近赤外光を照射する。制御部４０は、終了条件の成立に基づいて、光照射制御を終了する。
【００６８】
光育毛器１は、以下の効果を奏する。
（１）報知部８０は、照合条件が成立していないことに基づいて、報知情報を出力する。このため、使用者は、近赤外光の照射位置が適切でないことを認識し、照射位置を変更することができる。このため、光育毛器１の使用毎における照射位置のばらつきが生じにくくなる。このため、育毛効果の低下が生じにくくなる。
【００６９】
（２）光源部６０は、複数の発光兼受光素子６１を有する。このため、仮想光源部と比較した場合、以下の効果が得られる。なお、この効果に関する記述は、光育毛器１が取り得る光源部の一形態から仮想光源部を除外することを意図していない。
【００７０】
仮想光源部は、一形態として、複数の発光素子および複数の受光素子を有する。仮想光源部における発光素子および受光素子の総数は、光源部６０における発光兼受光素子６１の総数と一致する。光源部６０は、光照射制御において発光する素子の数が仮想光源部よりも多い。このため、より好ましい育毛効果が得られやすい。
【００７１】
仮想光源部は、別の一形態として、光源部６０における発光兼受光素子６１と同数の発光素子、および、複数の受光素子を有する。この仮想光源部は、光照射制御において発光させる素子の数を光源部６０と同数に設定することができる。しかし、複数の受光素子が存在しているため、光源部６０よりも大型化する。光源部６０は、発光兼受光素子６１に発光機能および受光機能を持たせているため、仮想光源部よりも素子の数が少なくなる。このため、光育毛器１の小型化に貢献する。
【００７２】
（３）光育毛器１は、照射位置確認部３３を有する。このため、操作者は、任意のタイミングにおいて血管情報照合処理を開始させることができる。このため、受光者１００が近赤外光の照射位置のずれを認識できる機会が増える。
【００７３】
（その他の実施形態）
本光育毛器は、実施形態とは異なるその他の実施形態を含む。その他の実施形態は、一例として、以下に示される実施形態の変形例を含む。なお、以下の各変形例は、技術的に矛盾しない範囲において互いに組み合わせることができる。
【００７４】
・実施形態の光源部６０は、複数の発光兼受光素子６１を有する。ただし、光源部６０の構成は、実施形態に例示された内容に限られない。変形例の光源部６０は、発光素子、受光素子、および、発光兼受光素子６１のうちの少なくとも２種類を含む。発光素子は、一例として、ＬＥＤランプの形態を有する。受光素子は、一例として、フォトダイオードの形態を有する。変形例の光源部６０は、仮想光源部の一形態、または、仮想光源部の別の一形態を取り得る。なお、光育毛器１は、光源部６０が発光兼受光素子６１を含まないとき、切替部７０を省略することができる。
【００７５】
・実施形態の発光兼受光素子６１は、ＬＥＤランプの形態を有する。ただし、発光兼受光素子６１の構成は、実施形態に例示された内容に限られない。変形例の発光兼受光素子６１は、一例として、レーザーダイオードの形態を有する。なお、光源部６０が発光素子または受光素子を含む場合においても、上記変形例に準じた変形が成立する。
【００７６】
・実施形態の発光兼受光素子６１は、１４５０ｎｍの波長において、強度のピークを示す近赤外光を照射する。ただし、発光兼受光素子６１が照射する近赤外光のスペクトルは、実施形態に例示された内容に限られない。変形例の発光兼受光素子６１が照射する近赤外光のスペクトルは、近赤外領域における複数の水の特異吸収波長のうちの少なくとも１つの波長において、強度のピークを有する。複数の水の特異吸収波長の一例としては、９５０ｎｍ、１１５０ｎｍ、および、１７９０ｎｍが挙げられる。
【００７７】
・実施形態の光源部６０は、発光状態に設定された複数の発光兼受光素子６１から同じスペクトルの近赤外光を照射する。ただし、光源部６０の構成は、実施形態に例示された内容に限られない。変形例の光源部６０は、発光状態に設定された複数の発光兼受光素子６１の一部または全部において、互いに異なるスペクトルの近赤外光を照射する。
【００７８】
・実施形態の制御部４０は、光源動作制御（図３および図４参照）を実行する。ただし、光源動作制御の内容は、実施形態に例示された内容に限られない。変形例の制御部４０は、光源動作制御の別の形態の一例として、以下の（ａ）〜（ｃ）の少なくとも１つを有する。
（ａ）制御部４０は、ステップＳ２１およびＳ２２を同時に行う。
（ｂ）制御部４０は、ステップＳ１１、Ｓ１２、および、Ｓ１５を省略する。
（ｃ）制御部４０は、ステップＳ１３〜Ｓ１５を省略する。
【００７９】
・実施形態の制御部４０は、光照射制御において、照射位置確認部３３の操作に基づいて血管情報照合処理を実行する。ただし、光照射制御の内容は、実施形態に例示された内容に限られない。変形例の制御部４０は、光照射制御において、照射位置確認部３３の操作に依存することなく血管情報照合処理を実行する。制御部４０は、一例として、ステップＳ２３において終了条件が成立していないと判定したとき、ステップＳ１１に移行する。このため、照射位置確認部３３の操作に依存することなく血管情報照合処理が行われる。この変形例によれば、光照射制御の実行中において、近赤外光の照射位置のばらつきが生じにくくなる。
【００８０】
・実施形態の照射位置確認制御は、以下に示される情報補正処理を有していない。変形例の照射位置確認制御は、情報補正処理を有する。制御部４０は、照射位置確認制御において情報補正処理を実行する。情報補正処理は、合成血管情報または合成前の血管情報に体毛情報が含まれるか否かを判定する。体毛情報は、光源部６０の照射位置に存在する受光者１００の体毛に関する情報を示す。情報補正処理は、合成血管情報または合成前の血管情報に体毛情報が含まれるとき、第１補正処理および第２補正処理の一方を実行する。第１補正処理は、血管情報における体毛情報に該当する部分を削除する。第２補正処理は、生成した合成血管情報を破棄し、合成血管情報の生成をやりなおす。制御部４０は、一例として、ステップＳ１５とステップＳ１６との間において情報補正処理を実行する。この変形例によれば、照合条件の判定が不正確になる状況が生じにくくなる。
【００８１】
・実施形態の記憶部５０は、制御部４０から記憶基準情報信号ＳＳＭを受信したとき、すでに保存している基準情報Ｉを破棄し、受信した記憶基準情報信号ＳＳＭに含まれる基準情報Ｉを保存する。ただし、記憶部５０の構成は、実施形態に例示された内容に限られない。変形例の記憶部５０は、複数の基準情報Ｉを記憶する。記憶部５０は、一例として、複数の受光者１００のそれぞれに対応する基準情報Ｉを記憶する。
【００８２】
・実施形態の操作部３０は、スイッチの形態を有する。ただし、操作部３０の形態は、実施形態に例示された内容に限られない。変形例の操作部３０は、一例として、ボタンまたはタッチパネルの形態を有する。
【００８３】
・実施形態の報知部８０は、スピーカーの形態を有する。ただし、報知部８０の形態は、実施形態に例示された内容に限られない。変形例の報知部８０は、一例として、ＬＥＤランプまたはディスプレイの形態を有する。
【００８４】
・実施形態の切替部７０は、Ｃ接点スイッチのリレーを有する。ただし、切替部７０の構成は、実施形態に例示された内容に限られない。変形例の切替部７０は、一例として、Ｃ接点スイッチのリレーに代えて半導体スイッチを有する。
【００８５】
・実施形態の切替部７０は、電流増幅用のトランジスタを有していない。変形例の切替部７０は、Ｃ接点スイッチのリレーに加え、電流増幅用のトランジスタを有する。このトランジスタは、共通端子７０Ｃと制御部４０との間に配置され、共通端子７０Ｃおよび制御部４０と電気的に接続される。トランジスタは、制御部４０から共通端子７０Ｃに流れる電流を増幅する。このため、リレーを駆動するための電流が不足する状況が生じにくくなる。
【００８６】
（課題を解決するための手段に関する付記）
課題を解決するための手段は、下記の［付記項１］および［付記項２］を含む。なお、［付記項１］および［付記項２］が有する事項は、実施形態において開示された事項と対応している。
【００８７】
［付記項１］
付記項１の光育毛器は、請求項１〜３のいずれか一項に記載の光育毛器において、次の事項を有する。前記光源部は、複数の発光兼受光素子を有する。前記発光兼受光素子は、発光素子および受光素子の双方の機能を有する。
【００８８】
［付記項２］
付記項２の光育毛器は、付記項１に記載の光育毛器において、次の事項を有する。前記光育毛器は、切替部を有する。前記切替部は、前記発光兼受光素子の機能状態を発光状態または受光状態に切り替える。
【符号の説明】
【００８９】
１…光育毛器
３３…照射位置確認部
４０…制御部
６０…光源部
８０…報知部
１００…受光者
【図１】
2015013044.tif 000003
【図２】
2015013044.tif 000004
【図３】
2015013044.tif 000005
【図４】
2015013044.tif 000006
【図５】
2015013044.tif 000007